(57)【要約】【課題】受水槽の衛生面を損なうことなく、効率の良い作業を行うことができる受水槽の清掃方法及び清掃装置の提供。【解決手段】建物に設けられる受水槽１を排水した後、この受水槽１の内壁１Ｂを掃除具で清掃する作業（ステップＳ３）と、内壁１Ｂに薬剤を散布するとともに、所定の放置時間の間放置する消毒作業を少なくとも２回行う（ステップＳ４）受水槽１の清掃方法において、消毒作業の所定の放置時間の間に、受水槽１内に配置されるビニール袋１４に給水する仮給水作業（ステップＳ７）と、所定の放置時間の経過後に受水槽１の内壁１Ｂを水で洗い流す洗浄作業（ステップＳ１０）と、ビニール袋１４の水を受水槽１に給水する移水作業（ステップＳ１４）とを行うようにした。【選択図】図１
2009024418.tif 000002
【特許請求の範囲】
【請求項１】
建物に設けられる受水槽の排水後、この受水槽の内壁を清掃具で清掃する作業と、前記内壁に薬剤を散布するとともに、所定の放置時間の間放置する消毒作業を少なくとも２回行う受水槽の清掃方法において、
前記消毒作業の前記所定の放置時間の間に、前記受水槽内に配置されるビニール袋に給水する仮給水作業と、
前記所定の放置時間の経過後に、前記受水槽の前記内壁を水で洗い流す洗浄作業と、
前記ビニール袋の水を前記受水槽に給水する移水作業とを行うことを特徴とする受水槽の清掃方法。
【請求項２】
建物に設けられる受水槽の内壁を清掃する清掃具と、前記受水槽の前記内壁に散布され所定の放置時間放置されて消毒を行なう薬剤とによって前記受水槽の清掃を行う受水槽の清掃装置において、
前記薬剤の散布後に前記受水槽内に配置され、給水されるビニール袋を備えたことを特徴とする受水槽の清掃装置。
【請求項３】
前記請求項２記載の受水槽の清掃装置において、
前記ビニール袋は、給水を溜める貯水部と、給水を受ける注水部とを有することを特徴とする受水槽の清掃装置。
【請求項４】
前記請求項２又は３記載の受水槽の清掃装置において、
前記ビニール袋は、ポリエチレン気泡シートで作製され、外側に気泡部を有するとともに、内側が抗菌処理して成ることを特徴とする受水槽の清掃装置。
【発明の詳細な説明】
【技術分野】
【０００１】
本発明は、建物に備えられる受水槽の清掃作業を行う受水槽の清掃方法及び清掃装置に関する。
【背景技術】
【０００２】
受水槽の清掃に関しては、昭和５８年３月１８日環企第２８号厚生労働省環境衛生局長通知第２．１．（２）で受水槽の消毒要領が次のように示されている。  
消毒液は有効塩素５０〜１００ｍｇ／リットル濃度の次亜塩素酸ナトリウム溶液又はこれと同等以上の消毒能力を有する塩素剤を用いること。  
消毒は、受水槽内の全壁面、床及び天井の下面について、消毒薬を高圧洗浄機等を利用して噴霧により吹き付けるか、ブラシ等を利用して行うこと。  
上記の方法により２回以上消毒を行うこと。  
と指示されている（非特許文献１）。
【０００３】
また、注水口と着脱可能な送水ホースとを備えた水槽袋を受水槽内に仮水槽とし、受水槽の清掃作業中でも仮水槽から水を供給することで、断水状態を回避するものが提案されている（特許文献１）。
【非特許文献１】貯水槽水道衛生管理士講習会テキスト（発行：社団法人  全国建築物飲料水管理協会、６４頁）
【特許文献１】特許第３１７９３０９号公報（段落［０００５］［０００６］、及び図５）
【発明の開示】
【発明が解決しようとする課題】
【０００４】
前述した非特許文献１に示される受水槽の清掃は、薬剤の散布後３０分間放置する消毒作業を２回以上実施する必要があり、効率の良い清掃を実施できない問題があった。また、特許文献１に記載される従来技術では、清掃作業中に仮設される水槽袋から一般家庭へ給水を行うことは、給水時の圧力（ポンプによる圧力も含む）によって、水槽袋が給水配管側へ吸い込まれる虞があった。
【０００５】
本発明の目的は、受水槽の衛生面を損なうことなく、効率の良い作業を行うことができる受水槽の清掃方法及び清掃装置を提供することにある。
【課題を解決するための手段】
【０００６】
この目的を達成するために、本発明に係る受水槽の清掃方法は、建物に設けられる受水槽の排水後、この受水槽の内壁を清掃具で清掃する作業と、前記内壁に薬剤を散布するとともに、所定の放置時間の間放置する消毒作業を少なくとも２回行う受水槽の清掃方法において、前記消毒作業の前記所定の放置時間の間に、前記受水槽内に配置されるビニール袋に給水する仮給水作業と、前記所定の放置時間の経過後に、前記受水槽の前記内壁を水で洗い流す洗浄作業と、前記ビニール袋の水を前記受水槽に給水する移水作業とを行うことを特徴としている。
【０００７】
また、本発明に係る受水槽の清掃装置は、建物に設けられる受水槽の内壁を清掃する清掃具と、前記受水槽の前記内壁に散布され所定の放置時間放置されて消毒を行なう薬剤とによって前記受水槽の清掃を行う受水槽の清掃装置において、前記薬剤の散布後に前記受水槽内に配置され、給水されるビニール袋を備えたことを特徴としている。
【０００８】
このように構成した本発明に係る受水槽の清掃方法及び清掃装置は、消毒作業の所定の放置時間の間に、受水槽内に配置したビニール袋に給水を行うようにしたことで、受水槽の衛生面を損なうことなく、効率の良い受水槽の清掃を行うことができる。
【０００９】
また、本発明に係る受水槽の清掃装置は、前記受水槽の清掃装置に係る発明において、前記ビニール袋は、給水を溜める貯水部と、給水を受ける注水部とを有することを特徴としている。
【００１０】
また、本発明に係る受水槽の清掃装置は、前記受水槽の清掃装置に係る発明において、前記ビニール袋は、ポリエチレン気泡シートで作製され、外側に気泡部を有するとともに、内側が抗菌処理して成ることを特徴としている。
【００１１】
このように構成した本発明に係る受水槽の清掃装置は、受水槽の内壁とビニール袋との間に水を流すことで、ビニール袋の外側に設けた気泡の隙間を介して水が流れ、この水が受水槽の底部にある程度溜まるとビニール袋に浮力を与え、受水槽の底部に溜まった水でビニール袋と受水槽内壁間の水が排水され、受水槽内壁及びビニール袋外側に付着した薬剤を水とともに洗い流すことができる。
【発明の効果】
【００１２】
本発明の請求項１に係る受水槽の清掃方法、及び請求項２に係る受水槽の清掃装置によれば、消毒作業の所定の放置時間の間にビニール袋に給水を行うようにしたので、受水槽の衛生面を損なうことなく、効率の良い作業を行うことができる。
【００１３】
また、本発明の請求項４に係る受水槽の清掃装置によれば、薬剤散布後の所定の放置時間の経過後に受水槽内壁とビニール袋との間に水を流すと、ビニール袋の外側に設けた気泡の隙間を通して薬剤が水とともに排水されるので、人体に影響のない排水を行うことができる。
【発明を実施するための最良の形態】
【００１４】
以下，本発明に係る受水槽の清掃方法及び清掃装置を実施するための最良の形態を図に基づいて説明する。
【００１５】
図１は本発明に係る受水槽の清掃方法の一実施形態を示すフローチャート、図２は受水槽の要部構成を示す斜視図である。図３〜図１２は、本発明の一実施形態において実施される各作業を示す説明図である。図１３〜図１５は本発明の一実施形態に用いられるビニール袋を示す図である。
【００１６】
はじめに、建物に設けられ、水を溜めておく受水槽の構造を図２によって説明する。この図２に示すように、受水槽１の上面１Ａには、受水槽１内に垂下され、長さの異なる複数本の導電性棒を有し、給水用ポンプの起動及び停止の制御、減水及び満水を検知する電極棒２が着脱自在に取り付けられている。また、受水槽１内に出入する開口部であるマンホール３Ａには、マンホール蓋３Ｂが取り付けられている。
【００１７】
また、受水槽１の上面１Ａには、受水槽１への給水を行う定水位主管４及び給水制御を行うボールタップ５が設けられ、定水位主管４及びボールタップ５はそれぞれ配管４Ａ，５Ａを介し、受水槽１へ水を供給する定水位弁６に接続され、定水位弁６と主管７との間には給水元弁８が配設されている。
【００１８】
また、マンホール３Ａの近傍の受水槽１の内壁１Ｂに梯子９が立設され、受水槽１の底部１Ｃには排水口１０Ａが設けられ、この排水口１０Ａに取り付けられた排水管１０Ｂには排水弁１１が取り付けられている。
【００１９】
次に、上述のように構成される受水槽１の清掃方法の一実施形態を図１のフローチャート等によって説明する。
【００２０】
図２に示す受水槽１の清掃をする準備作業として、給水元弁８を閉じて受水槽１への給水を停止するとともに（図１のステップＳ１）、排水弁１１を開けて受水槽１に貯水されている水を排水する（図１のステップＳ２）。
【００２１】
次に、受水槽１の水が排水されると、マンホール３Ａより受水槽１内の梯子９を介して作業者が受水槽１の内部に入って、図示しないブラシやスポンジ等の清掃具を使い、受水槽１の内壁１Ｂや電極棒２等の汚れを落す洗浄作業を行い（図１のステップＳ３）、水で汚れを洗い流した後、図３に示すように、作業者１２Ａは噴霧器１３を使って受水槽１の内壁１Ｂや電極棒２等に薬剤（次亜塩素濃度５０ｍｇ／ｌ）の散布を行い、散布後に所定の放置時間、例えば３０分放置して第１回の消毒作業を終了し、同様に、第２回の消毒作業としての薬剤散布、及び所定の放置時間の放置を完了すると（図１のステップＳ４）、図４，５に示すように、ビニール袋１４の注水部１４Ａを定水位主管４に締結バンド１５で締結する（図１のステップＳ５）。
【００２２】
ビニール袋１４は、図１３に示すように、注水部１４Ａと貯水部１４Ｂとで構成され、所定面積のポリエチレン気泡シートの平坦面を内側にして折って、３辺を溶着させて形成してあり、水を貯水する貯水部１４Ｂと、この貯水部１４Ｂの上辺に設けられた所定長の筒状の注水部とを有している。ビニール袋１４の内側となるポリエチレン気泡シートの平坦面は予め抗菌処理を施してある。
【００２３】
注水部１４Ａを定水位主管４に締結する締結バンド１５には、図示しない面ファスナーが形成されており、締結バンド１５に接続される２本のワイヤロープ１５Ａを引くことで、図示しない面ファスナーが解除され、締結バンド１５の締結を外すことができる。
【００２４】
また、作業者１２Ｂは、図５に示すように、受水槽１の上面１Ａで、締結バンド１５に接続されたワイヤロープ１５Ａを受水槽１の上面１Ａに固定する。
【００２５】
次に、図６に示すように、作業者１２Ａは、ビニール袋１４の貯水部１４Ｂに水を溜めたとき、膨張した貯水部１４Ｂが電極棒２を押し付けて電極棒２を曲げたり、ビニール袋１４に穴を空けたりするのを防止する予め消毒剤が散布された電極棒保護板１６を、電極棒２の近傍に立て掛ける（図１のステップＳ６）。この電極棒保護板１６にも紐１６Ａが接続されており、作業者１２Ｂは受水槽１の上面１Ａに紐１６Ａを固定した後、給水元弁８を開いてビニール袋１４への貯水を開始し（図１のステップＳ７）、ビニール袋１４から水の漏れが無いことを確認した作業者１２Ａは受水槽１から出る。
【００２６】
また、第２回の薬剤散布後３０分が経過するまで、図７に示すように、主管７から定水位主管４を介してビニール袋１４の貯水部１４Ｂに水が貯水され、貯水部１４Ｂの膨張は電極棒保護板１６によって阻止され、電極棒２とビニール袋１４との接触を回避できる。
【００２７】
次に、第２回の薬剤散布後３０分が経過すると（図１のステップＳ８）、作業者１２Ｂが給水元弁８を閉じてビニール袋１４への給水を停止した後（図１のステップＳ９）、図８に示すように、受水槽１の内壁１Ｂとビニール袋１４の間にホース１７を介して水１７Ａを流すと、水１７Ａはビニール袋１４の気泡部の空間を全周にわたって流れ、受水槽１の底部１Ｃに溜まる。ここで、水１７Ａが受水槽１の底部１Ｃに溜まると、ビニール袋１４が浮力を受けることで受水槽１の底部１Ｃとビニール袋１４の底部に若干隙間が生じ、この隙間を介して水１７Ａが、散布した薬剤を希釈しながら排水口１０Ａ及び排水管１０Ｂを介して排水される（図１のステップＳ１０）。ここで、水１７Ａによる薬剤を洗い流す順序としては、受水槽１の天井部を最初に行い、内壁１Ｂの上部及び電極棒保護板１６の上部と、上から下に行えばよい。
【００２８】
次に、排水弁１１に設けられ排水管１０Ｂの二次側に位置する図示しない排水口空間の水を採取してｐＨを計測し（図１のステップＳ１１）、ｐＨ値が所定値以下となれば（図１のステップＳ１２）、ホース１７の水１７Ａを止めるとともに、排水弁１１を閉じる（図１のステップＳ１３）。なお、ホース１７による水１７Ａでの薬剤の希釈に際しては、ステップＳ１１及びステップＳ１２で排水口１１部の水のｐＨ値を計測するようにしたが、薬剤の散布量が判っている場合には水１７Ａの供給量を計測するようにしてもよい。
【００２９】
次に図９に示すように、作業者１２Ａが、受水槽１の上面１Ａで２本のワイヤロープ１５Ａを引くことで、図示しない面ファスナーが解除されて締結バンド１５の締結が外れ、ビニール袋１４の注水部１４Ａは定水位主管４から外れて受水槽１の水面に落ちる。
【００３０】
次に、図１０に示すように、作業者１２Ａは、所定の長さを有するとともに、先端に針や刃物が取り付けられた針棒１８でビニール袋１４を裂いて、ビニール袋１４の貯水部１４Ｂに溜まった水を受水槽１へ移水しながら、図１１に示すように、受水槽１中のビニール袋１４を受水槽１の上面１Ａへ引上げる（図１のステップＳ１４）。
【００３１】
次に、図１２に示すように、作業者１２Ａは、受水槽１の上面１Ａに固定されている紐１６Ａを外し、紐１６Ａを引き上げながら受水槽１の上面１Ａへ電極棒保護板１６を引き上げ（図１のステップＳ１５）、受水槽１内の水位が上昇してボールタップ５が作動して給水が停止するのを確認して、受水槽１の清掃及び洗浄作業を終了する（図１のステップＳ１６）。
【００３２】
本実施形態によれば、受水槽１の２回目の薬剤散布後の３０分の放置の間に、受水槽１内にポリエチレン気泡シートで製作したビニール袋１４へ給水するようにしたので、受水槽１の作業時間を短縮することができる。また、ビニール袋１４は、内側を抗菌処理するとともに、使い捨てにすることにより衛生面が保たれる。
【００３３】
本実施形態で用いたビニール袋１４は、ポリエチレン気泡シートを折り曲げて３辺を溶着させた平面状の袋であるが、本発明は、このように製作されたビニール袋１４を用いることには限られない。例えば、図１４に示すサイコロ状の貯水部１９Ｂと、この貯水部１９Ｂの上面に設けた注水部１９Ａとを有するビニール袋１９や、図１５に示すテント状の貯水部２０Ｂと、この貯水部２０Ｂの上辺に設けた注水部２０Ａとを有するビニール袋２０を用いることもできる。このようなビニール袋１９やビニール袋２０を用いた場合にも、前述した実施形態と同等の作用効果が得られる。
【図面の簡単な説明】
【００３４】
【図１】本発明に係る受水槽の清掃方法の一実施形態を示すフローチャートである。
【図２】受水槽の要部構成を示す斜視図である。
【図３】本発明の一実施形態において実施される受水槽の薬剤散布作業を示す説明図である。
【図４】本発明の一実施形態において実施されるビニール袋の取り付け作業を示す説明図である。
【図５】本発明の一実施形態において実施されるビニール袋の取り付け作業を示す説明図である。
【図６】本発明の一実施形態において実施される電極棒保護板の設置作業を示す説明図である。
【図７】本発明の一実施形態において実施されるビニール袋への注水作業を示す説明図である。
【図８】本発明の一実施形態において実施される薬剤の希釈作業を示す説明図である。
【図９】本発明の一実施形態において実施されるビニール袋の回収作業を示す説明図である。
【図１０】本発明の一実施形態において実施されるビニール袋の回収作業を示す説明図である。
【図１１】本発明の一実施形態において実施されるビニール袋の回収作業を示す説明図である。
【図１２】本発明の一実施形態において実施される電極棒保護板の回収作業を示す説明図である。
【図１３】本発明の一実施形態に用いられるビニール袋の部分拡大図を含む正面図である。
【図１４】本発明の一実施形態に用いられるビニール袋の他の形状を示す説明図である。
【図１５】本発明の一実施形態に用いられるビニール袋のさらに他の形状を示す説明図である。
【符号の説明】
【００３５】
１    受水槽
１４    ビニール袋
１４Ａ  注水部
１４Ｂ  貯水部
１５    締結バンド
１５Ａ  ワイヤロープ
１６    電極棒保護板
１６Ａ  紐
１７    ホース
１７Ａ  水
１８    針棒
１９    ビニール袋
１９Ａ  注水部
１９Ｂ  貯水部
２０    ビニール袋
２０Ａ  注水部
２０Ｂ  貯水部
【図１】
2009024418.tif 000003
【図２】
2009024418.tif 000004
【図３】
2009024418.tif 000005
【図４】
2009024418.tif 000006
【図５】
2009024418.tif 000007
【図６】
2009024418.tif 000008
【図７】
2009024418.tif 000009
【図８】
2009024418.tif 000010
【図９】
2009024418.tif 000011
【図１０】
2009024418.tif 000012
【図１１】
2009024418.tif 000013
【図１２】
2009024418.tif 000014
【図１３】
2009024418.tif 000015
【図１４】
2009024418.tif 000016
【図１５】
2009024418.tif 000017